(57)【要約】【課題】閲覧するユーザに応じたコンテンツを表示することが可能なコンテンツ送信装置を提供する。【解決手段】読み取り装置が読み取った識別コードを当該読み取り装置から受信する読み取り結果受信部と、読み取り結果受信部が複数の識別コードを受信した場合に、当該受信した複数の識別コードに基づいて、識別コードの優先順位を決定し、決定した優先順位に従って、当該識別コードに対応するコンテンツを表示する順序を決定する順序決定部と、順序決定部が決定した順序でコンテンツを送信する送信部と、を有する。【選択図】図１
2010049483.tif 000002
【特許請求の範囲】
【請求項１】
ユーザが所持する記録媒体に記憶された識別コードを読み取る読み取り装置と、コンテンツを表示する表示装置と、コンテンツを送信するコンテンツ送信装置とが接続されるコンテンツ送信システムにおけるコンテンツ送信装置であって、
前記読み取り装置が読み取った識別コードを当該読み取り装置から受信する読み取り結果受信部と、
前記読み取り結果受信部が複数の識別コードを受信した場合に、当該受信した複数の識別コードに基づいて、識別コードの優先順位を決定し、決定した優先順位に従って、当該識別コードに対応するコンテンツを表示する順序を決定する順序決定部と、
前記順序決定部が決定した順序でコンテンツを送信する送信部と、
を有することを特徴とするコンテンツ送信装置。
【請求項２】
少なくとも優先順位を示す優先順位情報と識別コードに含まれる属性情報に関連付けた分析コードと表示画像ファイル名を対応付けて記憶するスケジュール管理情報記憶部を有し、
前記順序決定部は、
前記読み取り結果受信部が受信した複数の識別コードに含まれる属性情報に関連付けた分析コードに対応する表示画像ファイル名を受信順に前記スケジュール管理情報記憶部から読み出して当該識別コードに対応するコンテンツを表示する順序を決定する受信順表示機能と、
前記読み取り結果受信部が受信した複数の識別コードに含まれる属性情報に関連付けた分析コードを基に、同一の当該分析コードをカウントし、数が多いものから順に、当該分析コードに対応する表示画像ファイル名を前記スケジュール管理情報記憶部から読み出して当該識別コードに対応するコンテンツを表示する順序を決定する多数決表示機能と、
前記読み取り結果受信部が受信した複数の識別コードに含まれる属性情報に関連付けた分析コードに対応する優先順位情報に従って、当該分析コードに対応する表示画像ファイル名を前記スケジュール管理情報記憶部から読み出して当該識別コードに対応するコンテンツを表示する順序を決定する優先順位表示機能と、
のうち、少なくとも１つの機能を有し、選択されたいずれか１つの機能を実行し、順序を決定する
ことを特徴とする請求項１記載のコンテンツ送信装置。
【請求項３】
前記識別コードには、ユーザの優先順位であるランクを示すユーザランク情報が含まれており、
前記順序決定部は、前記読み取り結果受信部が受信した複数の識別コードのユーザランク情報に従い、当該識別コードに含まれる属性情報に関連付けた分析コードに対応する表示画像ファイル名を前記スケジュール管理情報記憶部から読み出して優先順位が高いランクが設定された識別コードに対応するコンテンツが優先して先に表示されるように順序を決定する特定ユーザ優先表示機能を有する
ことを特徴とする請求項２記載のコンテンツ送信装置。
【請求項４】
前記スケジュール管理情報記憶部には、表示画像ファイル名に関連付けられるコンテンツが登録または更新された日付時刻を示す更新情報が対応付けられて記憶されており、
前記順序決定部は、コンテンツが複数ある場合に、表示ファイル名に対応する更新情報を参照し、新しく登録または更新されたコンテンツから順に表示する、若しくは新しく登録または更新されたコンテンツを選択して表示する最新コンテンツ表示機能を有する
ことを特徴とする請求項２または３に記載のコンテンツ送信装置。
【請求項５】
コンテンツを表示させる順序とその表示時間が予め決められたスケジュール情報を記憶するスケジュールデータベースを有し、
前記順序決定部は、前記読み取り結果受信部が１つの識別コードを受信した場合は、前記スケジュールデータベースに記憶された、予め決められたスケジュールに割り込みさせ、当該識別コードに対応するコンテンツを優先して表示する順序を決定する
ことを特徴とする請求項１から４のうちいずれかに記載のコンテンツ送信装置。
【請求項６】
前記順序決定部は、前記読み取り結果受信部が識別コードを受信していない場合は、前記スケジュールデータベースに記憶された、予め決められたスケジュールに従って、コンテンツから順に表示する
ことを特徴とする請求項１から請求項５のうちいずれかに記載のコンテンツ送信装置。
【請求項７】
ユーザが所持する記録媒体に記憶された識別コードを読み取る読み取り装置と、コンテンツを表示する表示装置と、コンテンツを送信するコンテンツ送信装置とが接続されるコンテンツ送信システムにおけるコンテンツ送信装置のコンピュータを、
前記読み取り装置が読み取った識別コードを当該読み取り装置から受信する読み取り結果受信手段、
前記読み取り結果受信手段が複数の識別コードを受信した場合に、当該受信した複数の識別コードに基づいて、識別コードの優先順位を決定し、決定した優先順位に従って、当該識別コードに対応するコンテンツを表示する順序を決定する順序決定手段
前記順序決定手段が決定した順序でコンテンツを送信する送信手段、
として機能させるためのプログラム。
【請求項８】
ユーザが所持する記録媒体に記憶された識別コードを読み取る読み取り装置と、コンテンツを表示する表示装置と、コンテンツを送信するコンテンツ送信装置とが接続されるコンテンツ送信システムにおけるコンテンツ送信方法であって、
読み取り結果受信部が、前記読み取り装置が読み取った識別コードを当該読み取り装置から受信し、
順序決定部が、前記読み取り結果受信部が複数の識別コードを受信した場合に、当該受信した複数の識別コードに基づいて、識別コードの優先順位を決定し、決定した優先順位に従って、当該識別コードに対応するコンテンツを表示する順序を決定し、
送信部が、前記順序決定部が決定した順序でコンテンツを送信する
ことを特徴とするコンテンツ送信方法。
【発明の詳細な説明】
【技術分野】
【０００１】
本発明は、広告や各種情報の表示を行うコンテンツ送信装置、プログラム、コンテンツ送信方法に関する。
【背景技術】
【０００２】
従来から、広告媒体としてポスター等の印刷媒体が一般的に用いられている。また、スクリーン印刷された広告媒体を背面から蛍光灯等を用いて光を照射し、広告を行うものもある。このように、印刷媒体に印刷された情報は、一度印刷されると、その印刷内容が変動しないため、その広告内容も変動せず、従って、時間経過とともに印象が薄れ、広告としての効果が薄くなる。
ここでは、広告内容を変更するには、印刷媒体を交換することが必要となる。しかし、駅構内ホームから見て線路向かい側に位置する広告枠は、線路内に立ち入って広告の張り替え工事を行う必要があるので、この張り替え工事は深夜に限定される。また、線路内に立ち入るので、安全面と特殊作業員の確保が厳しく求められ、人件費がかさばり、掲出費用も増えてしまう。よって、頻繁に広告の張り替えを行うことが難しく、結果的に長期間の掲出となってしまう。
【０００３】
ここで、広告内容を適宜変更するために、例えば、線路脇の広告枠に液晶ディスプレイやプラズマディスプレイ等の電子ディスプレイを設置し、種々の広告を切り替えて表示することが考えられる。
このように、電子ディスプレイに情報を送信して広告を表示させるシステムとして、例えば、以下の特許文献１のものがある。この特許文献１のものについては、入場者各人に応じた個別の情報を表示することができる。
【特許文献１】特開平１１−８５８６１号公報
【発明の開示】
【発明が解決しようとする課題】
【０００４】
しかしながら、特許文献１に示すものについては、入場者に対して個別に情報を表示することができるが、駅のホームや道路といった、複数の人が往来する場所に適用しようとすると、通行量が多いため、個別に情報を表示することが難しいという問題がある。例えば、電子ディスプレイの前を一度に数名の人が通行するような場合に、各人に対して情報を表示すると、ある表示内容が表示されて表示内容を閲覧している間に他の人が順次通行すると、次々に表示内容に切り替わって表示されてしまい表示内容を閲覧することができなくなってしまう可能性があるので、どの表示内容をどのタイミングで表示させるかが重要になる。
【０００５】
ここで、電子ディスプレイを駅のホームや道路といった公共の場所に設置する場合には、その電子ディスプレイの近傍を通る人の趣味や嗜好や、通行時間帯などを予測して表示スケジュールを予め決めておき、その表示スケジュールに従って表示内容を切り替えることも考えられるが、その表示スケジュールによる予測通りに趣味や嗜好がマッチした人が、その場を通過するとは限らないので、必ずしもピンポイントに送信対象を絞ることはできず、効率のよい情報送信が実現できていない。
【０００６】
本発明は、このような事情に鑑みてなされたもので、その目的は、閲覧するユーザに応じたコンテンツを表示することが可能なコンテンツ送信装置、プログラム、コンテンツ送信方法を提供することにある。
【課題を解決するための手段】
【０００７】
上述した課題を解決するために、本発明は、ユーザが所持する記録媒体に記憶された識別コードを読み取る読み取り装置と、コンテンツを表示する表示装置と、コンテンツを送信するコンテンツ送信装置とが接続されるコンテンツ送信システムにおけるコンテンツ送信装置であって、前記読み取り装置が読み取った識別コードを当該読み取り装置から受信する読み取り結果受信部と、前記読み取り結果受信部が複数の識別コードを受信した場合に、当該受信した複数の識別コードに基づいて、識別コードの優先順位を決定し、決定した優先順位に従って、当該識別コードに対応するコンテンツを表示する順序を決定する順序決定部と、前記順序決定部が決定した順序でコンテンツを送信する送信部と、を有することを特徴とする。
【０００８】
また、本発明は、上述のコンテンツ送信装置において、少なくとも優先順位を示す優先順位情報と識別コードに含まれる属性情報に関連付けた分析コードと表示画像ファイル名を対応付けて記憶するスケジュール管理情報記憶部を有し、前記順序決定部は、前記読み取り結果受信部が受信した複数の識別コードに含まれる属性情報に関連付けた分析コードに対応する表示画像ファイル名を受信順に前記スケジュール管理情報記憶部から読み出して当該識別コードに対応するコンテンツを表示する順序を決定する受信順表示機能と、前記読み取り結果受信部が受信した複数の識別コードに含まれる属性情報に関連付けた分析コードを基に、同一の当該分析コードをカウントし、数が多いものから順に、当該分析コードに対応する表示画像ファイル名を前記スケジュール管理情報記憶部から読み出して当該識別コードに対応するコンテンツを表示する順序を決定する多数決表示機能と、前記読み取り結果受信部が受信した複数の識別コードに含まれる属性情報に関連付けた分析コードに対応する優先順位情報に従って、当該分析コードに対応する表示画像ファイル名を前記スケジュール管理情報記憶部から読み出して当該識別コードに対応するコンテンツを表示する順序を決定する優先順位表示機能と、のうち、少なくとも１つの機能を有し、選択されたいずれか１つの機能を実行し、順序を決定することを特徴とする。
【０００９】
また、本発明は、上述のコンテンツ送信装置において、前記識別コードには、ユーザの優先順位であるランクを示すユーザランク情報が含まれており、前記順序決定部は、前記読み取り結果受信部が受信した複数の識別コードのユーザランク情報に従い、当該識別コードに含まれる属性情報に関連付けた分析コードに対応する表示画像ファイル名を前記スケジュール管理情報記憶部から読み出して優先順位が高いランクが設定された識別コードに対応するコンテンツが優先して先に表示されるように順序を決定する特定ユーザ優先表示機能を有することを特徴とする。
【００１０】
また、本発明は、上述のコンテンツ送信装置において、前記スケジュール管理情報記憶部には、表示画像ファイル名に関連付けられるコンテンツが登録または更新された日付時刻を示す更新情報が対応付けられて記憶されており、前記順序決定部は、コンテンツが複数ある場合に、表示ファイル名に対応する更新情報を参照し、新しく登録または更新されたコンテンツから順に表示する、若しくは新しく登録または更新されたコンテンツを選択して表示する最新コンテンツ表示機能を有することを特徴とする。
【００１１】
また、本発明は、上述のコンテンツ送信装置において、コンテンツを表示させる順序とその表示時間が予め決められたスケジュール情報を記憶するスケジュールデータベースを有し、前記順序決定部は、前記読み取り結果受信部が１つの識別コードを受信した場合は、前記スケジュールデータベースに記憶された、予め決められたスケジュールに割り込みさせ、当該識別コードに対応するコンテンツを優先して表示する順序を決定することを特徴とする。
【００１２】
また、本発明は、上述のコンテンツ送信装置において、前記順序決定部は、前記読み取り結果受信部が識別コードを受信していない場合は、前記スケジュールデータベースに記憶された、予め決められたスケジュールに従って、コンテンツから順に表示することを特徴とする。
【００１３】
また、本発明は、ユーザが所持する記録媒体に記憶された識別コードを読み取る読み取り装置と、コンテンツを表示する表示装置と、コンテンツを送信するコンテンツ送信装置とが接続されるコンテンツ送信システムにおけるコンテンツ送信装置のコンピュータを、
前記読み取り装置が読み取った識別コードを当該読み取り装置から受信する読み取り結果受信手段、前記読み取り結果受信手段が複数の識別コードを受信した場合に、当該受信した複数の識別コードに基づいて、識別コードの優先順位を決定し、決定した優先順位に従って、当該識別コードに対応するコンテンツを表示する順序を決定する順序決定手段、前記順序決定手段が決定した順序でコンテンツを送信する送信手段、として機能させるためのプログラムである。
【００１４】
また、本発明は、ユーザが所持する記録媒体に記憶された識別コードを読み取る読み取り装置と、コンテンツを表示する表示装置と、コンテンツを送信するコンテンツ送信装置とが接続されるコンテンツ送信システムにおけるコンテンツ送信方法であって、読み取り結果受信部が、前記読み取り装置が読み取った識別コードを当該読み取り装置から受信し、順序決定部が、前記読み取り結果受信部が複数の識別コードを受信した場合に、当該受信した複数の識別コードに基づいて、識別コードの優先順位を決定し、決定した優先順位に従って、当該識別コードに対応するコンテンツを表示する順序を決定し、送信部が、前記順序決定部が決定した順序でコンテンツを送信することを特徴とする。
【００１５】
この発明では、記録媒体に記録された識別コードを読み出し、この識別コードに対応する属性、趣味などを把握するものであり、複数の記録媒体の識別コードを読み出した場合（複数人が通過した場合など）には、その識別コードの優先度や読み取った個数に応じて、どのコンテンツを表示させるかを決定するようにしたので、電子ディスプレイの近傍を通過する複数の人の趣味や嗜好を考慮したコンテンツを表示させることができる。ここでは、通過する人同士で共通する趣味や嗜好に合わせたコンテンツを表示させたり、あるいは、複数の人のうち、コンテンツの効果が大きいと考えられる人を対象にしたコンテンツの表示をすることもできる。
【発明の効果】
【００１６】
以上説明したように、この発明によれば、複数の記録媒体から読み出された識別コードについて、優先順位を決定し、コンテンツを送信するようにしたので、複数人のユーザに対してコンテンツを送信する場合であっても、ユーザに応じた優先度に従い、コンテンツを送信することが可能となる。
【発明を実施するための最良の形態】
【００１７】
以下、本発明の一実施形態による電子広告管理システムについて図面を参照して説明する。図１は、この発明の一実施形態によるコンテンツ送信装置を適用した電子広告管理システム１００の構成を示す概略ブロック図である。ここでは、上述のコンテンツ送信装置が電子広告管理装置１に相当する。
【００１８】
電子広告管理装置１は、ネットワークＮを介してディスプレイ制御装置２に通信可能に接続されている。ディスプレイ制御装置２には、ディスプレイ装置３が接続されている。
また、電子広告管理装置１には、ネットワークＮを介して運用者端末４、出稿者端末５、所有者端末６が接続される。ディスプレイ装置３は、ディスプレイ制御装置２から出力された各種情報を表示する機能を有しており、例えば、電子ペーパーである。電子ペーパーとは、電子インクやトナー粒子、色素分子などに対し、電圧を印加することによって、その粒子や分子の配列を変化させることによって文字や画像を表示するものである。ディスプレイ制御装置２は、電子広告管理装置１から送信された情報に従い、ディスプレイ装置３（電子ペーパー）の表示制御を行うことによって、画像や文字等を表示させる。
【００１９】
運用者端末４は、電子広告管理システム１００を運用する者によって操作される端末であり、広告の登録、スケジューリング、広告情報又は画像の編集等、各種機能を利用し、広告の管理を行うことが可能である。
出稿者端末５は、広告を出稿する者によって操作される端末であり、広告を構成する各種データを入力して出稿データを生成し、広告を行う期間や場所等の情報とともに電子広告管理装置１に送信する機能を有する。この出稿者端末５としては、例えば携帯電話やＰＣ（パーソナルコンピュータ）等が用いられる。
所有者端末６は、広告枠の所有者であり、広告枠となるディスプレイ装置３の利用を出稿者に対して提供する者が利用する端末であり、ディスプレイ装置３に表示させる広告内容の確認をし、広告の出稿を許可するか否かの指示を入力する機能を有する。この広告枠としては、例えば、地下鉄や地上の駅構内、空港、テーマパーク、百貨店等に設けられる。
【００２０】
ＲＦＩＤタグ７は、ＲＦＩＤタグを識別する識別コードを記憶している。このＲＦＩＤタグ７は、外部から受ける電波によって電力を発生して駆動するスタティックタイプであってもよいし、電池を内蔵し、その電池からの電源の供給を受けて駆動するアクティブタイプであってもよい。ここでは一例として、スタティックタイプを適用する場合について説明する。また、このＲＦＩＤタグ７は、ＲＦＩＤタグを適用する場合について説明したが、識別コードを記憶していて、要求に応じて識別コードを出力できればよい。例えば、赤外線にて通信するようにしてもよい。この識別コードは、数字が列記された文字列に限られるものではなく、文字や記号であってもよく、これらを組み合わせるようにしてもよい。
また、このＲＦＩＤタグ７は、例えば、キーホルダや携帯端末のストラップとして配布し、ユーザに携帯してもらうようにすることが可能である。
【００２１】
ＲＦＩＤリーダ８は、自身を識別するリーダＩＤが設定されているとともに、ネットワークＮに接続に接続されており、ＲＦＩＤアンテナ９によってＲＦＩＤタグ７に記憶された識別コードを読み出し、読み出した識別コードと自身のリーダＩＤとをネットワークＮを介して電子広告管理装置１に送信する機能を有する。
このＲＦＩＤリーダ８は、一定時間毎に電波を放射し、この電波に応答信号としてＲＦＩＤタグ７から送信される情報を受信する。
【００２２】
ＲＦＩＤアンテナ９は、ＲＦＩＤタグ７から出力される電波を放射することによって情報を送信し、この電波によってＲＦＩＤタグ７から送信される電波を受信する。このＲＦＩＤアンテナ９は、例えば、ディスプレイ装置３が設置される近傍に設けられる。
【００２３】
電子広告管理装置１についてさらに説明する。図２は、電子広告管理装置１の構成を示す概略ブロック図である。図２において、ユーザ情報データベース１１は、運用者端末４の運用者、出稿者端末５の出稿者、所有者端末６の所有者のそれぞれについてのユーザ情報を記憶する。ユーザ情報としては、ユーザに関する情報であり、氏名、住所、会社名、電子広告管理装置１にログインする際に用いるパスワードとＩＤ等が記憶される。
ユーザ情報管理部１２は、運用者端末４、出稿者端末５、所有者端末６から送信される指示に応じて、ユーザ情報データベース１１に記憶されるユーザ情報の登録や編集を行う機能を有する。
【００２４】
画像データベース１３は、ディスプレイ装置３に表示させる画像となる画像データを記憶する。この画像データとしては、画像だけでなく、文字も含めることが可能である。この画像情報は、例えば、コンテンツである。
この画像情報には、ディスプレイ装置３に表示される画像データの掲載順序が変更あるいは削除された場合に表示する、外枠情報提供者が指定する情報や、外枠情報提供者が許可した情報が記憶される。
この画像情報は、出稿データとして出稿者端末５または所有者端末６からの登録要求に応じて登録されるが、この出稿データについては、例えば、キャンペーンなどの短期的な期間の情報であるイベント情報や、駅周辺のホテルの空室情報、買い物をした人に対して付与するポイントのその日のポイント付与割合（ポイントが２倍など）、ＷＥＢ上のニュースを流用したニュース情報、その地域の市や区からのお知らせ等が挙げられる。また、画像データは、企業ＰＲ、広告情報、公共機関の運行状況を示す運行情報などがあげられる。
【００２５】
画像入稿機能部１４は、運用者端末４あるいは出稿者端末５から送信される出稿データを受信し、画像データベース１３に記憶する。この画像入稿機能部１４には、ひな形データベース１５が設けられており、このひな形データベース１５に記憶されたひな形データを利用した画像データの登録をさせる機能も有する。
ひな形データベース１５は、出稿データを生成する際のひな形となるひな形データを複数種類記憶している。このひな形データは、例えば、入力可能な項目がテンプレート情報として記憶されており、このテンプレート情報の項目内に書き込み可能なデータをプルダウンメニュー等の選択肢によって選択可能に設定されている。このひな形データに基づいて、画像入稿機能部１４によって、選択された選択肢の画像データをひな形データのひな形に合わせて合成されることにより出稿データが生成されるので、このひな形データを利用することにより、出稿者は、テキストを携帯電話等の携帯機器から入力するだけで、そのテキストがひな形の決まった位置に設定された出稿データが生成されて、出稿することができる。
【００２６】
ロケーション情報データベース１６は、広告枠が設置される場所に関する情報を記憶する。ロケーション情報には、例えば、広告枠が設置される場所として、駅名や、ホーム、ホームのどのあたりの位置かを示す情報等が記憶される。
ロケーション情報管理機能部１７は、ロケーション情報の登録要求を運用者端末４あるいは所有者端末６から受信し、ロケーション情報データベース１６に書き込む。
【００２７】
審査待ち一覧データベース１８は、画像データベース１３に登録された出稿データを広告枠（ディスプレイ装置３）に表示して良いか否かの審査対象となる出稿データのリストを記憶する。この審査は、所有者端末６から入力される可否の指示に従って行われる。ここでは、掲出制限のある画像であるか否かを示すアラーム情報をリストに記憶しておくようにすることも可能である。
画像審査機能部１９は、画像データベース１３に出稿データが記憶された場合に、その出稿データについて審査待ちとして審査待ち一覧データベース１８のリストに追加して記憶するとともに、所有者端末６に承認の要求（例えば電子メール）を送信する。ここでは、アラーム情報があれば、これも併せて送信し、承認する者に通知する。また、画像審査機能部１９は、承認がなされた出稿データについては、審査待ち一覧データベース１８のリストから削除し、画像データベース１３に審査の承認が完了したことを示す情報（例えばフラグ）を書き込む。
【００２８】
表示スケジューリング機能部２０は、画像データベース１３に記憶された出稿データについて、ディスプレイ装置３に表示するスケジューリングを行って、スケジュール情報をスケジュールデータベース２２に記憶する。このスケジューリングは、運用者端末４からの指示に応じて行う手動モードと、自動スケジューリング機能部２１が行う自動モードとがある。
【００２９】
自動スケジューリング機能部２１は、画像データベース１３に記憶された出稿データのうち承認が完了した出稿データについて、スケジューリングを行う。この自動スケジューリング機能部２１は、掲載料金の高い画像情報の表示優先度を高く設定する機能を有する。すなわち、８つの広告を１サイクルとして決まった時間間隔（例えば１５秒間隔）で切り替えて表示する場合に、その８つの広告のうち、高い掲載料金が設定された広告を優先して表示する機能を有する。例えば、出稿データを出稿する予算額を示す予算情報と出稿データを表示するスケジュールの希望を示す掲載希望期間とを当該出稿データとともに趣向者の端末から受信し、自動スケジューリング機能部２１が、掲載希望期間が重複する出稿データがあるか否かを判定し、重複する出稿データがある場合に、重複する出稿データにそれぞれ付与された予算額情報が示す予算額が高いものから順にスケジュールを割り当てる。または、ユーザ情報データベース１１に、各出稿者の優先順位を示す優先度を出稿者のユーザ情報として対応づけて記憶しておき、自動スケジューリング機能部２１が、掲載希望期間が重複する出稿データがあるか否かを判定し、重複する出稿データがある場合に、重複する出稿データを出稿した出稿識別情報に対応する優先度を参照し、優先度の高い出稿者識別情報が設定された出稿データから順にスケジュールを割り当てる。
【００３０】
スケジュールデータベース２２は、出稿データをディスプレイ装置３に表示するスケジュールを記憶する。このスケジュールとしては、例えば、出稿データの識別情報と当該出稿データを出力する日時、ロケーション情報（どの駅のどのホームのどの位置の表示枠であるか）とを対応づけて記憶する。ここでは、出稿データがブランクであるか否かに応じて、そのスケジュールに空きがあるか否かを把握することも可能である。
【００３１】
表示ログ取得機能部２３は、ディスプレイ装置３によって表示された出稿データの表示実績を集計ログデータベース２４に記憶する。
集計ログデータベース２４は、表示ログ取得機能部２３からの指示に従い、出稿データの表示実績を記憶する。ここでは、どの出稿データがいつ、どのロケーションで表示されたかについての履歴を記憶する。
【００３２】
課金機能部２５は、集計ログデータベース２４を参照し、出稿データの表示実績に応じて課金情報を生成し、課金データベース２６に書き込む。
課金データベース２６は、課金情報を記憶する。課金情報としては、出稿者を識別する情報と、出稿データを識別する情報、ロケーション情報（広告枠の設置場所）、表示履歴（表示時間、表示回数）とを対応づけて記憶する。以下、課金情報を掲載料金情報ともいう。
また、この掲載料金情報には、ディスプレイ内に掲載可能な情報（制限情報）に応じた掲載料金を記憶する。制限情報の一例としては、広告対象がアルコール飲料やたばこ等の制限対象として指定されている商品であって、この指定対象の商品の広告ができる一日における割合（１日の○％以内）や時間帯について、広告枠の所有者毎に記憶しているケースがある。
【００３３】
この課金は、利用者が多いロケーションへの出稿については料金を高くし、利用者が少ないロケーションへの出稿については料金を低く設定するなど、ロケーションにおける利用者の数に応じた課金を行うことができる。利用者としては、ロケーションが駅である場合には、電車への乗車人数を利用者とし、改札機を通過した人数を改札機からの通過人数のカウント結果を検出することによって把握する。また、この乗車した人の属性についても料金の算出ルールとして記憶しておくことも可能である。この属性については、予め調査しておき、その傾向を記憶しておく。例えば、平日の朝７時から朝９時までは、○○駅においては、年齢が「２０歳から３５歳」の「女性」の属性の乗車する人が多い、などの傾向を各駅のそれぞれについて、時間毎に記憶する。ここでは、駅のホームのどの位置（電車の進行方向に対して前側、中側、後ろ側等）にどんな属性の人が来るのかを駅構内の位置の詳細についても記憶するようにしてもよい。
【００３４】
通信部２７は、ネットワークＮを介して接続される各種機器と通信を行う機能を有し、受信部２７Ａと送信部２７Ｂを有する。受信部２７Ａは、ＲＦＩＤリーダ８がＲＦＩＤタグ７から受信した識別コードをネットワークＮを介し、ＲＦＩＤリーダ８から、ＲＦＩＤリーダ８を識別するリーダＩＤとともに受信する（上述の読み取り結果受信部に対応する）。送信部２７Ｂは、ディスプレイ装置３にコンテンツを送信する場合には、ＲＦＩＤタグ７から識別コードを受信する際に併せて受信したリーダＩＤに基づいて、このリーダＩＤで特定されるＲＦＩＤリーダ８が備えられたディスプレイ装置３のディスプレイ制御装置２宛に送信する。ここでは、送信部２７Ｂは、リーダＩＤとディスプレイ制御装置２の宛先情報とを対応付けて記憶するテーブル情報を記憶しており、これを参照することによって、複数のディスプレイ制御装置２のいずれかを特定して送信することが可能である。
【００３５】
属性情報データベース２８は、ＲＦＩＤタグ７に記憶された識別コードと属性情報とを対応づけて記憶する。この属性情報としては、例えば、ＲＦＩＤタグ７をユーザ個人に１つずつ配布し、この配布したＲＦＩＤタグ７の識別コードとそのＲＦＩＤタグ７を受け取ったユーザの属性情報とを対応づけて記憶するようにしてもよい。この属性情報とは、ユーザの趣味や嗜好、ユーザランク情報等の属性を示す情報である。
【００３６】
属性情報登録部２９は、ネットワークＮに接続された端末装置のいずれかからの登録要求に応じて、属性情報と識別コードとを対応付けて属性情報データベース２８に記憶する。
【００３７】
スケジュール管理情報記憶部３０は、優先順位を示す優先順位情報と識別コードに一致する分析コードとを対応付けて記憶する。また、分析コードに対応するコンテンツを識別する表示画像ファイル名と、表示画像ファイル名に関連付けられるコンテンツが登録または更新された日付時刻を示す更新情報とを対応付けて記憶することもできる。
【００３８】
コンテンツ表示順序決定部３１は、受信部２７Ａが複数のＲＦＩＤタグ７からそれぞれ識別コードを受信した場合には、当該受信した複数の識別コードに基づいて、識別コードの優先順位を決定し、決定した優先順位に従って、当該識別コードに対応するコンテンツを表示する順序を決定し、予め決められたスケジュールに割り込む処理を行う。この機能が上述の順序決定部に相当する。
また、コンテンツ表示順序決定部３１は、スケジュール管理情報記憶部３０を参照し、受信部２７Ａが受信した複数の識別コードに含まれる属性情報に関連付けた分析コードに対応する表示画像ファイル名を受信順に前記スケジュール管理情報記憶部３０から読み出して当該識別コードに対応するコンテンツを表示する順序を決定する機能（受信順表示機能）、受信部２７Ａが受信した複数の識別コードのユーザランク情報に従い、当該識別コードに含まれる属性情報に関連付けた分析コードに対応する表示画像ファイル名をスケジュール管理情報記憶部３０から読み出して優先順位が高いユーザランクが設定された識別コードに対応するコンテンツが優先して先に表示されるように順序を決定する機能（特定ユーザ優先表示機能）、受信部２７Ａが受信した複数の識別コードに含まれる属性情報に関連付けた分析コードを基に、同一の当該分析コードをカウントし、数が多いものから順に、当該分析コードに対応する表示画像ファイル名を前記スケジュール管理情報記憶部３０から読み出して当該識別コードに対応するコンテンツを表示する順序を決定する機能（多数決表示機能）、受信部２７Ａが受信した複数の識別コードに含まれる属性情報に関連付けた分析コードに対応する優先順位情報に従って、当該分析コードに対応する表示画像ファイル名を読み出して、当該識別コードに対応するコンテンツを表示する順序を決定する機能（優先順位表示機能）、同じ順位のコンテンツが複数ある場合には、表示画像ファイル名に対応する更新情報に基づいて、新しく更新されたコンテンツから順に表示する機能（最新コンテンツ表示機能）を有する。
コンテンツ表示順序決定部３１は、上述の受信順表示機能と、特定ユーザ優先表示機能と、優先順位表示機能と、多数決表示機能とのうち、選択された機能を実行することによって順序を決定し、同じ順位のコンテンツが複数ある場合には、最新コンテンツ表示機能が作動する。この機能の選択には、例えば、（ａ）電子広告管理装置１の管理者によって予め選択され、選択結果を入力する入力装置を介して、選択結果の入力をコンテンツ表示順序決定部３１が受け付ける場合、（ｂ）時間帯や曜日、月等の予め決められた時期に応じてコンテンツ表示順序決定部３１が選択する場合、がある。
このコンテンツ表示順序決定部３１が、上述の順序決定部に対応する。
【００３９】
図３は、広告枠に表示される広告の一例を示す図である。この図に示すように、表示枠内には、外枠情報が例えばアクリル板にスクリーン印刷された印刷媒体が設けられて背面から照明される外枠表示部（符号ａ）と、画像データが表示されるディスプレイ装置３（符号ｂ）とが設けられる。ここでは、外枠表示部は、ディスプレイ装置３の右側面側に渡って一体として形成されている。この外枠表示部の形状やディスプレイ装置３の配置位置については、表示枠（符号ｃ）内であれば、任意に設定することができる。ここでは、外枠表示部ではカラー印刷によって彩りを表現することができ、ディスプレイ装置３の表示によって、その時点に応じたタイムリーな情報（広告）を表示することができる。
【００４０】
外枠には、ディスプレイ装置３に表示される情報の提供元の情報（例えば、広告をする百貨店の名称）が印刷されて外枠表示部として形成されており、この外枠の裏面側に照明手段が設けられ、この照明光が裏面側から表面側に透過することにより、照明される。
【００４１】
図４は、属性情報データベース２８に属性情報を登録する画面の一例を示す図である。
ディスプレイ装置３にコンテンツを送信する出稿者は、事前に情報送信先のユーザの趣味や嗜好を確認し、ＲＦＩＤタグ７の固有コードと趣味・嗜好に基づいた属性コードとを対応付けた属性情報データベース２８を作成する。
この属性情報データベース２８の作成としては、例えば、ＲＦＩＤタグ７を配布する対象のユーザに対し、趣味や嗜好に関するアンケートを行い、そのアンケート結果を示す属性コードを生成し、この生成した属性コードと、ユーザに配布したＲＦＩＤタグ７に記憶された固有コードとを対応づけて識別コードとし、属性情報データベース２８に書き込むことによって行われる。
図４は、アンケート調査を行う画面の一例を示す図である。
アンケート調査は、この電子広告管理システム１００の利用登録としてユーザ登録の際に行われる。例えば、ユーザ登録用のＵＲＬに、ユーザの携帯端末等からアクセスしてもらい、ユーザＩＤとパスワードによってユーザ認証を行い、図４に示すようなアンケート画面を電子広告管理装置１から携帯端末に送信する。ユーザは、このアンケート画面を見て、自身の趣味や嗜好が該当する項目のチェックボックスにチェックマークを入力してもらい、決定ボタンをクリックしてもらうことにより、登録をしてもらう。ここでは、ユーザの電子メールアドレスを登録することも可能である。ここで、ＲＦＩＤタグ７の識別コードとアンケート結果の対応付けは、ＲＦＩＤタグ７を配布する際に、事前にユーザＩＤとＲＦＩＤタグ７の識別コードとを対応付けて記憶しておき、アンケート調査の際にログインされたユーザＩＤが一致するものを対応づけする。
【００４２】
図５は、属性情報データベース２８に記憶される情報の一例を示す図である。この図に示すように、ＲＦＩＤタグ７の固有コードに対し、属性情報と電子メールアドレスとが対応付けされて記憶される。属性情報はユーザランク情報、利用店舗コード、年代コード、嗜好コード等の文字列が連結され、例えば１０桁の文字列によって構成されている。識別コードは、このＲＦＩＤの固有コードと属性情報から構成されている。
【００４３】
図６は、スケジュール管理情報記憶部３０に記憶される情報の一例を示す図である。
この図において、優先順位フラグは、優先順位を示す情報であり、例えば、優先順位を示す数値が記憶される。分析コードは、コンテンツを送信する対象となるユーザの属性情報を特定する情報であり、例えば、送信対象となる属性情報について、複数の桁が配列されているうち、ＲＦＩＤタグ７の識別コードに対応する属性情報の桁であって、送信対象となる属性情報を表す数値が含まれる桁に、コンテンツ送信対象となる属性を特定する数値が書き込まれている。これにより、この分析コードで表された桁と数値に一致する属性情報について、分析コードに対応づけられた優先順位フラグが読み出される。
【００４４】
また、分析コードには、表示画像ファイル名と、当該表示画像ファイル名のファイルが最後に更新された日時（時刻）を示す更新情報と、が対応付けされて記憶される。
また、スケジュール管理情報記憶部３０には、複数のＲＦＩＤタグの識別コードを同時に認識した際に、どのような方法でコンテンツの表示順位を決定するか、予め設定しておくための設定テーブルが設けられる。
ここでは、例えば、複数のRFIDタグを読み取った場合の、コンテンツの表示優先順位を判断する方法には合計４パターンがあり、「01」は、受信順表示、「02」は、多数決表示、「03」特定ユーザ優先表示、「04」は、優先順位情報順表示、のうち、いずれかのコードを指定することができる。具体的には、設定値として「02」が設定された場合には、必ず多数決で表示コンテンツが決まることになる。
【００４５】
次に、上述した構成における電子広告管理装置１の動作について図７のフローチャートを用いて説明する。
まず、電子広告管理装置１のコンテンツ表示順序決定部３１は、受信部２７ＡがＲＦＩＤタグ７の識別コードを受信したか否かを判定する（ステップＳ１）。識別コードを受信していない場合には、通常のスケジュール、すなわち、予め決められたスケジュールにてコンテンツを表示させるスケジュールに従って、コンテンツを送信する（ステップＳ２）。
【００４６】
一方、コンテンツ表示順序決定部３１は、受信部２７ＡがＲＦＩＤタグ７の識別コードを受信した場合、識別コードが複数であるか否かを判定する（ステップＳ３）。識別コードが１つである場合には、その識別コードに対応する分析コードをスケジュール管理情報記憶部３０を参照して検出する（ステップＳ４）。ここでは、複数の分析コードが検出される場合もある。分析コードが検出されると、コンテンツ表示順序決定部３１は、その分析コードに対応するファイル名をスケジュール管理情報記憶部３０から読み出す（ステップＳ７）。ファイル名を読み出すと、自動スケジューリング機能部２１は、その読み出したファイル名のコンテンツをスケジュールに含むようにスケジュールを変更し（ステップＳ８）、スケジュールデータベースに書き込むことによって更新する。スケジュールデータベース２２が更新されると、表示スケジューリング機能部２０は、更新されたスケジュールに従って、コンテンツの送信を行う（ステップＳ９）。
【００４７】
一方、受信した識別コードが複数である場合には、システム設定値が受信順表示機能（「０１」のコード）、多数決表示機能（「０２」のコード）、特定ユーザ優先表示機能（「０３」のコード）、優先順位情報順表示機能（「０４」のコード）のいずれのパターンが選択されているかを読み出す（ステップＳ１２）。
システム設定値を読み出すと、コンテンツ表示順序決定部３１は、読み出した設定値によって選択されるいずれか１つの機能を実行することによって優先順位を決定する。（ステップＳ１３〜Ｓ１６）。ここでは、受信順表示機能（「０１」のコード）が選択されている場合には、識別コードの受信順に、各識別コードに一致する分析コードに対応するコンテンツを表示する（ステップＳ１７）。多数決表示機能（「０２」のコード）が選択されている場合には、識別コードが表す属性情報を基に、当該属性情報の数が多いものから順に、識別コードに一致する分析コードに対応するコンテンツを優先表示する（ステップＳ１８）。特定ユーザ優先表示機能（「０３」のコード）が選択されている場合には、識別コードに含まれるユーザランク情報に従い、優先順位が高いランクが設定された識別コードに一致する分析コードに対応するコンテンツを優先表示する（ステップＳ１９）。優先順位情報順表示機能（「０４」のコード）が選択されている場合には、識別コードに一致する分析コードに対応する優先順位情報を基に、優先順位が高く設定された分析コードに対応するコンテンツから順に優先表示する（ステップＳ２０）。
そして、ステップＳ１３〜Ｓ１６によって表示機能が決定されたのち、その表示方法にて表示しようとした場合、同じ優先順位のコンテンツが複数あるか否かを判定する（ステップＳ２１）。同じ優先順位のコンテンツが無ければ、ステップＳ２２に移行し、あれば、表示画像ファイル名の更新情報を基に、優先順位を決定する（ステップＳ２５）。
そして、表示順序が決定されると、当該識別コードに含まれる属性情報に関連付けた分析コードに対応するファイル名を、それぞれ、スケジュール管理情報記憶部３０から読み出す（ステップＳ２２）。
ファイル名を読み出すと、自動スケジューリング機能部２１は、その読み出したファイル名のコンテンツをスケジュールに含むようにスケジュールを変更し（ステップＳ２３）、スケジュールデータベースに書き込むことによって更新する。スケジュールデータベース２２が更新されると、表示スケジューリング機能部２０は、更新されたスケジュールに従って、コンテンツの送信を行う（ステップＳ２４）。
【００４８】
次に、上述の処理によって表示されるコンテンツについて図８を用いて説明する。ＲＦＩＤタグ７が読み取られない場合には、コンテンツ表示順序決定部３１は、スケジュールの更新を行わない。したがって、表示スケジューリング機能部２０は、スケジュールデータベース２２に記憶されたスケジュールに従って、コンテンツを表示する。例えば、図８（ａ）に示すように、画像Ａ、画像Ｂ、画像Ｃ、画像Ｄ、画像Ａ、・・・のような順序でコンテンツを１５秒ずつ表示するスケジュールであった場合には、このスケジュールに従って、コンテンツを送信部２７Ｂによってディスプレイ制御装置２に送信することによって、ディスプレイ装置３に表示させる。ＲＦＩＤタグ７の読み取りが行われない場合は、このスケジュールに従って、繰り返しこれらのコンテンツが表示される。
【００４９】
ここで、１つのＲＦＩＤタグ７の識別コードが読み出された場合には、コンテンツ表示順序決定部３１は、この識別コードに対応するコンテンツを、予め決められたスケジュールに割り込みさせ、スケジュールを更新する。例えば、読み出した識別コードに対応するコンテンツが「画像イ」である場合には、図８（ｂ）に示すように、予め決められたスケジュールである、画像Ａ、画像Ｂ、画像Ｃ、画像Ｄ、画像Ａ、・・・の順序の中に、最初に画像イが表示されるようにスケジュールを更新する。ここでは、画像イ、画像Ａ、画像Ｂ、画像Ｃ、画像Ｄ、画像イ、画像Ａ・・・のような順序でコンテンツが１５秒ずつ表示される。
また、２つのＲＦＩＤタグ７の識別コードを読み出した場合に、それぞれの識別コードから「画像イ」、「画像ロ」のコンテンツを表示する場合であって、「画像イ」を優先して表示する場合には、図８（ｃ）に示すように、画像イ、画像ロ、画像Ａ、画像Ｂ、画像Ｃ、画像Ｄ、画像イ、・・・のような順序でコンテンツが１５秒ずつ表示される。
【００５０】
なお、この図８では、ＲＦＩＤタグ７の識別コードを読み出した場合において、コンテンツを１５秒表示する場合について説明したが、このように一定時間表示するように設定してもよいが、ＲＦＩＤタグ７をＲＦＩＤリーダ８が認識している間（継続して検出している場合）は、割り込み処理を発生させ、そのＲＦＩＤタグ７の識別コードに対応するコンテンツを継続して表示し、識別コードを認識しなくなった時点で、割り込み処理を解除し、予め決められたスケジュールで表示するようにしてもよい。
【００５１】
次に、上述したステップＳ１６における、識別コードに対応する優先順位フラグを読み出す処理について図９を用いて説明する。
この図において、ＲＦＩＤタグ７から読み出した識別コードのうち、１つの識別コードが符号（Ａ）に示す１０桁の「０３０２０３０５１２」なるコードであった場合、分析コードの対応する各桁（１桁〜１０桁）と比較する。ここでは、２桁ずつ比較する場合について説明する。ここで、識別コードの１桁目、２桁目が「０３」であり、分析コードの１桁目、２桁目とを比較すると、上から４段目の行の「０１」と比較すると、一致しないので、次の３桁目、４桁目の識別コードの２桁「０２」と分析コードの３桁目、４桁目を比較する。ここでは、３桁目、４桁目の分析コードは、「０２」、「０３」、「０４」の３つがあり、それぞれ比較する。比較結果において、上から１行目の「０２」が一致するので、この「０２」を含む分析コードに対応する優先順位フラグ「０１」が読み出される。
また、５桁目、６桁目の「０３」の識別コードが、５桁目、６桁目の分析コード「０３」と一致するため、ここでは、優先順位フラグ「０３」についても読み出される。すなわち、識別コードに一致する分析コードがあれば、その一致した分析コードのそれぞれについての優先順位フラグが読み出される。
また、例えば、符号（Ｂ）に示すように、「０１０７０９０５０５」の１０桁の識別コードがＲＦＩＤタグ７から読み出された場合には、識別コードの１桁目、２桁目の「０１」のみが分析コードと一致するため、優先順位フラグ「０３」が読み出される。このように、識別コードに対応する分析コードの優先順位フラグがそれぞれ読み出される（優先順位表示機能）。
【００５２】
次に、上述したステップＳ１４における、読み出された識別コードをソートし、対応する識別コードの数が多いものから順に、識別コードに対応するコンテンツを表示する順序を決定する場合について説明する（多数決表示機能）。
上述したように、図８において、符号（Ａ）、（Ｂ）の識別コードが読み出された場合には、識別コード「０３０２０３０５１２」、「０１０７０９０５０５」が読み出される。ここでは、コンテンツ表示順序決定部３１は、同一桁において識別コードが同じものの個数をカウントし、カウント数が多いものから順に、優先する。ここでは、７桁目、８桁目の識別コードとして「０５」が２つ読み出されたので、対応する分析コードの７桁目、８桁目が「０５」であるコンテンツ（ファイル名がＡＢＣ００５）が優先順位が高いものとして決定され、コンテンツ送信される。
【００５３】
次に、上述したステップＳ１３〜１６において、同じ順位のコンテンツが複数ある場合の処理について説明する（最新コンテンツ表示機能）。
例えば、優先順位が同じコンテンツが複数読み出される場合には、各表示画像ファイル名に対応づけされている更新情報を参照し、最も新しく更新されたコンテンツを優先して読み出す。
例えば、新商品を宣伝するコンテンツについて、情報が新しい場合があるので、新しいコンテンツを表示し、その次に古いものを表示することができる。
【００５４】
次に、上述したステップＳ１５における、ランクの高いユーザの識別コードを含む場合について説明する（特定ユーザ優先表示機能）。
この例では、ＲＦＩＤタグ７の特定の桁（例えば１桁目と２桁目の組み合わせ）にユーザのランクを示す情報を予め設定しておく。また、ここでは、分析コードにユーザのランクを示す情報を設定しておく。そして、読み出されたＲＦＩＤタグ７の識別コードの特定の桁を参照し、優先度の高い値である識別コードを優先する。例えば、「０１」が優先度が高く、「０２」、「０３」になるほど優先度が低く設定されている場合、コンテンツ表示順序決定部３１は、「０１」が１桁目と２桁目に設定されている分析コードに対応付けされている画像ファイル名を読み出す。
このように、ユーザのランクを示す情報を予めＲＦＩＤタグ７の識別コードに記憶しておくことにより、プレミア会員や、コンテンツの広告内容に最も興味を示す可能性が高いユーザなど（広告された商品を買う可能性が高いユーザ）、特別なユーザがディスプレイ装置３の近傍に来たときに、その人の属性に応じたコンテンツを他のユーザに優先して表示させることができる。
【００５５】
以上においては、ＲＦＩＤタグ７の識別コードを読み取った場合について説明したが、スケジュールの１サイクルの途中すなわち、例えば、１５秒のコンテンツを４つ繰り返して表示するスケジュールである場合、このサイクルの開始時点でＲＦＩＤタグ７の読み取り処理を行い、読み取られた識別コードに応じてスケジュールを更新し、３０秒経過した時点（１スケジュールの途中）で再度ＲＦＩＤタグ７の読み取り処理を行う。そして、先に読み取ったＲＦＩＤタグ７の識別コードと比較し、今回読み取れなかった識別コードに対応するコンテンツをスケジュールから除外するようにしてもよい。これにより、ディスプレイ装置３の近傍にいたユーザに対してコンテンツ表示しておき、１サイクルが終了する前に、そのユーザがディスプレイ装置３から離れた位置まで移動した場合には、そのユーザへのコンテンツをスケジュールから除外することができる。これにより、ディスプレイ装置３の近傍にいるユーザを対象にしたスケジュールを構築することができる。
【００５６】
また、上述した実施形態においては、ＲＦＩＤタグ７から読み出した識別コードの内容に応じて優先順位を決定するようにしたが、識別コードを読み出した順（ＲＦＩＤリーダ８が識別コードを受信した順）に、優先度が高くなるようにスケジュールを決定するようにしてもよい。ここでは、一般に、複数のＲＦＩＤタグ７から識別コードを読み出す場合、各識別コードを読み出す時間に時間差が生じ、順位が設定されることから、この順位を利用する（受信順表示機能）。
【００５７】
なお、以上説明した実施形態において、ＲＦＩＤタグ７は、買い物袋や書籍等に取り付けておくようにしてもよい。これにより、例えば、ＲＦＩＤタグ７を買い物袋に取り付けておくことにより、その買い物袋を持ったユーザがディスプレイ装置３の近傍に来た場合には、その百貨店の広告のコンテンツを表示させるようにすることも可能である。また、ユーザが持っている書籍から趣味や嗜好を把握し、その結果に応じたコンテンツを表示させることも可能である。
【００５８】
なお、以上説明した実施形態においては、ＲＦＩＤタグ７から読み取られた識別コードに対応するコンテンツをディスプレイ装置３に表示する場合について説明したが、上述の図４において説明をした、属性情報データベース２８に属性情報を登録する際に、電子メールアドレスを事前に登録しておくことによって、この識別コードに対応するコンテンツに関連するコンテンツを、電子メールアドレス宛に送信するようにしてもよい。ここでは、ディスプレイ装置３に表示されたコンテンツそのものが電子メールアドレス宛に送信されてもよいし、関連するコンテンツが送信されてもよい。
【００５９】
これにより、ディスプレイ装置３が設けられた場所にいる不特定多数に向けた情報送信ではなく、より詳細なユーザの属性に合わせた情報送信が可能になる。すなわち、予め決められたコンテンツを単に繰り返し表示するのではなく、インタラクティブに、特定のユーザに向けたコンテンツ送信が可能になる。
また、ディスプレイ装置３に自身が興味があるコンテンツが表示されている場合に、このディスプレイ装置３近傍に設けられたＲＦＩＤリーダ８のＲＦＩＤアンテナ９にＲＦＩＤタグ７を近づけることによって、そのＲＦＩＤタグ７に対応付けて記憶された属性情報の電子メールアドレス宛に、その表示されているコンテンツに関連する情報を電子メールで送信するようにしてもよい。
【００６０】
また、図１における電子広告管理装置１の機能を実現するためのプログラムをコンピュータ読み取り可能な記録媒体に記録して、この記録媒体に記録されたプログラムをコンピュータシステムに読み込ませ、実行することにより電子広告の送信スケジュール管理を行ってもよい。なお、ここでいう「コンピュータシステム」とは、ＯＳや周辺機器等のハードウェアを含むものとする。
【００６１】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであってもよい。
【００６２】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００６３】
【図１】この発明の一実施形態によるコンテンツ送信装置を適用した電子広告管理システム１００の構成を示す概略ブロック図である。
【図２】電子広告管理装置１の構成を示す概略ブロック図である。
【図３】広告枠に表示される広告の一例を示す図である。
【図４】属性情報データベース２８に属性情報を登録する画面の一例を示す図である。
【図５】属性情報データベース２８に記憶される情報の一例を示す図である。
【図６】スケジュール管理情報記憶部３０に記憶される情報の一例を示す図である。
【図７】電子広告管理装置１の動作について説明するフローチャートである。
【図８】表示されるコンテンツについて説明する図である。
【図９】識別コードに対応する優先順位フラグを読み出す処理について説明する図である。
【符号の説明】
【００６４】
１  電子広告管理装置
２  ディスプレイ制御装置
３  ディスプレイ装置
４  運用者端末
５  出稿者端末
６  所有者端末
【図１】
2010049483.tif 000003
【図２】
2010049483.tif 000004
【図３】
2010049483.tif 000005
【図４】
2010049483.tif 000006
【図５】
2010049483.tif 000007
【図６】
2010049483.tif 000008
【図７】
2010049483.tif 000009
【図８】
2010049483.tif 000010
【図９】
2010049483.tif 000011